【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
第１インクを記録媒体に付与する第１の記録工程と、
第２インクを、前記第１インクを付与した領域の少なくとも一部に重なるように前記記録媒体に付与する第２の記録工程と、を有するインクジェット記録方法であって、
前記第１インクが、銀粒子を含有する水性インクであり、
前記第２インクが、染料を含有する水性インクであり、
前記第１インク及び前記第２インクを前記記録媒体に付与する時間差が、１秒以上７，２００秒以下であり、
小角Ｘ線散乱法により測定される、前記染料の分子間距離ｄ値が、５．９ｎｍ以上であるとともに、ピーク面積が、Ｃ．Ｉ．アシッドレッド２４９のピーク面積に対する比率で、１．１倍以上であることを特徴とするインクジェット記録方法。
【請求項２】
前記染料の前記ｄ値が、６．１ｎｍ以上である請求項１に記載のインクジェット記録方法。
【請求項３】
前記染料の前記ｄ値が、７．８ｎｍ以下である請求項１又は２に記載のインクジェット記録方法。
【請求項４】
前記染料の前記ピーク面積が、Ｃ．Ｉ．アシッドレッド２４９のピーク面積に対する比率で、２．４倍以上である請求項１乃至３のいずれか１項に記載のインクジェット記録方法。
【請求項５】
前記染料の前記ピーク面積が、Ｃ．Ｉ．アシッドレッド２４９のピーク面積に対する比率で、３．４倍以上である請求項１乃至４のいずれか１項に記載のインクジェット記録方法。
【請求項６】
前記染料の前記ピーク面積が、Ｃ．Ｉ．アシッドレッド２４９のピーク面積に対する比率で、５．９倍以下である請求項１乃至５のいずれか１項に記載のインクジェット記録方法。
【請求項７】
前記染料が、Ｃ．Ｉ．ダイレクトブルー１９９、Ｃ．Ｉ．ダイレクトイエロー１３２、Ｃ．Ｉ．アシッドレッド２８９、下記式（１）で表される化合物、下記式（２）で表される化合物、下記式（３）で表される化合物、下記式（４）で表される化合物、下記式（５）で表される化合物、及び下記式（６）で表される化合物からなる群より選択される少なくとも１種である請求項１乃至６のいずれか１項に記載のインクジェット記録方法。
【化１】
2018192786.tif 000001
（一般式（１）中、破線で表される環Ａ、Ｂ、Ｃ、及びＤはそれぞれ独立に、芳香環、又は含窒素芳香環である。Ｒはアミノ基、又は炭素数１以上４以下のアルコキシ基であり、Ｍはそれぞれ独立に、水素原子、アルカリ金属、アンモニウム、又は有機アンモニウムである。ｌは０以上２以下であり、ｍは１以上３以下であり、ｎは１以上３以下であり、かつ、ｌ、ｍ及びｎの合計は２又は３である。）
【化２】
2018192786.tif 000002
（一般式（２）中、Ｒ１は、それぞれ独立に、炭素数１以上８以下のアルキル基であり、前記アルキル基は、アニオン性基、スルホンアミド基、ヒドロキシ基、又はこれらのうち少なくとも２つを組み合わせた基で置換されていてもよく、ｐは３又は４である。）
【化３】
2018192786.tif 000003
（一般式（３）中、Ｒ２、Ｒ３、Ｒ４及びＲ５はそれぞれ独立に、炭素数１以上４以下のアルキル基であり、Ｍはそれぞれ独立に、水素原子、アルカリ金属、アンモニウム、又は有機アンモニウムである。）
【化４】
2018192786.tif 000004
（一般式（４）中、Ｒ６及びＲ７は、それぞれ独立に、水素原子、アルキル基、アシルアミノ基、アルコキシ基、スルホン酸基、カルボン酸基、又はウレイド基である。Ｍはそれぞれ独立に、水素原子、アルカリ金属、アンモニウム、又は有機アンモニウムである。ｍ及びｎは、それぞれ独立に、１又は２である。）
【化５】
2018192786.tif 000005
（一般式（５）中、Ｒ８は、炭素数１以上４以下のアルキル基；カルボン酸基で置換された炭素数１以上４以下のアルキル基；フェニル基；スルホン酸基で置換されたフェニル基；又はカルボン酸基であり、Ｒ９は、シアノ基；カルバモイル基；又はカルボン酸基であり、Ｒ１０及びＲ１１は、それぞれ独立に、水素原子；炭素数１以上４以下のアルキル基；ハロゲン原子；炭素数１以上４以下のアルコキシ基；又はスルホン酸基であり、Ｒ１２及びＲ１４は、それぞれ独立に、炭素数１以上４以下のアルキルチオ基；又はヒドロキシ基、スルホン酸基及びカルボン酸基からなる群より選択される少なくとも１種の基で置換された炭素数１以上４以下のアルキルチオ基であり、Ｒ１３及びＲ１５は、それぞれ独立に、炭素数１以上４以下のアルキルカルボニルアミノ基であり、Ｒ１６及びＲ１７は、それぞれ独立に、水素原子；カルボン酸基；スルホン酸基；アセチルアミノ基；ハロゲン原子；炭素数１以上４以下のアルキル基；炭素数１乃至４のアルコキシ基；又はヒドロキシ基、炭素数１以上４以下のアルコキシ基、スルホン酸基及びカルボン酸基からなる群より選択される少なくとも１種の基で置換された炭素数１以上４以下のアルコキシ基であり、Ｒ１８、Ｒ１９及びＲ２０は、それぞれ独立に、水素原子；カルボン酸基；スルホン酸基；ヒドロキシ基；アセチルアミノ基；ハロゲン原子；シアノ基；ニトロ基；スルファモイル基；炭素数１以上４以下のアルキル基；炭素数１以上４以下のアルコキシ基；ヒドロキシ基、炭素数１以上４以下のアルコキシ基、スルホン酸基及びカルボン酸基からなる群より選択される少なくとも１種の基で置換された炭素数１以上４以下のアルコキシ基；炭素数１乃至４のアルキルスルホニル基；又はヒドロキシ基、スルホン酸基及びカルボン酸基からなる群より選択される少なくとも１種の基で置換された炭素数１以上４以下のアルキルスルホニル基；スルホン酸基；ハロゲン原子である。）
【化６】
2018192786.tif 000006
（一般式（６）中、Ｒ２１及びＲ２２は、それぞれ独立に、アニオン性基で置換されていてもよい、炭素数１以上４以下のアルキル基又はアリール基である。Ｒ２３は、シアノ基又はアニオン性基で置換されていてもよいアリール基である。Ｍはそれぞれ独立に、水素原子、アルカリ金属、アンモニウム、又は有機アンモニウムである。）
【請求項８】
前記第１インク中の前記銀粒子の含有量（質量％）が、第１インク全質量を基準として、２．０質量％以上１５．０質量％以下である請求項１乃至７のいずれか１項に記載のインクジェット記録方法。
【請求項９】
前記第１インクが、３価以上６価以下の多価アルコールを含有する請求項１乃至８のいずれか１項に記載のインクジェット記録方法。
【請求項１０】
前記多価アルコールが、５価又は６価の糖アルコールである請求項９に記載のインクジェット記録方法。
【請求項１１】
前記記録媒体の単位面積あたりの前記染料の付与量（ｇ／ｍ２）が、前記銀粒子の付与量（ｇ／ｍ２）に対する比率（倍）で、０．２倍以上０．７倍以下である請求項１乃至１０のいずれか１項に記載のインクジェット記録方法。
【請求項１２】
第１インクを付与した後に、第２インクを付与する手段を備えたインクジェット記録装置であって、
前記第１インクが、銀粒子を含有する水性インクであり、
前記第２インクが、染料を含有する水性インクであり、
前記第１インク及び前記第２インクを前記記録媒体に付与する時間差が、１秒以上７，２００秒以下であり、
小角Ｘ線散乱法により測定される、前記染料の分子間距離ｄ値が、５．９ｎｍ以上であるとともに、ピーク面積が、Ｃ．Ｉ．アシッドレッド２４９のピーク面積に対する比率で、１．１倍以上であることを特徴とするインクジェット記録装置。
【請求項１３】
第１インクを記録媒体に付与する第１の記録工程と、
第２インクを、前記第１インクを付与した領域の少なくとも一部に重なるように前記記録媒体に付与する第２の記録工程と、を有するインクジェット記録方法であって、
前記第１インクが、銀粒子を含有する水性インクであり、
前記第２インクが、染料を含有する水性インクであり、
前記第１インク及び前記第２インクを前記記録媒体に付与する時間差が、１秒以上７，２００秒以下であり、
前記染料が、Ｃ．Ｉ．ダイレクトブルー１９９、Ｃ．Ｉ．ダイレクトイエロー１３２、Ｃ．Ｉ．アシッドレッド２８９、下記式（１）で表される化合物、下記式（２）で表される化合物、下記式（３）で表される化合物、下記式（４）で表される化合物、下記式（５）で表される化合物、及び下記式（６）で表される化合物からなる群より選択される少なくとも１種であることを特徴とするインクジェット記録方法。
【化７】
2018192786.tif 000007
（一般式（１）中、破線で表される環Ａ、Ｂ、Ｃ、及びＤはそれぞれ独立に、芳香環、又は含窒素芳香環である。Ｒはアミノ基、又は炭素数１以上４以下のアルコキシ基であり、Ｍはそれぞれ独立に、水素原子、アルカリ金属、アンモニウム、又は有機アンモニウムである。ｌは０以上２以下であり、ｍは１以上３以下であり、ｎは１以上３以下であり、かつ、ｌ、ｍ及びｎの合計は２又は３である。）
【化８】
2018192786.tif 000008
（一般式（２）中、Ｒ１は、それぞれ独立に、炭素数１以上８以下のアルキル基であり、前記アルキル基は、アニオン性基、スルホンアミド基、ヒドロキシ基、又はこれらのうち少なくとも２つを組み合わせた基で置換されていてもよく、ｐは３又は４である。）
【化９】
2018192786.tif 000009
（一般式（３）中、Ｒ２、Ｒ３、Ｒ４及びＲ５はそれぞれ独立に、炭素数１以上４以下のアルキル基であり、Ｍはそれぞれ独立に、水素原子、アルカリ金属、アンモニウム、又は有機アンモニウムである。）
【化１０】
2018192786.tif 000010
（一般式（４）中、Ｒ６及びＲ７は、それぞれ独立に、水素原子、アルキル基、アシルアミノ基、アルコキシ基、スルホン酸基、カルボン酸基、又はウレイド基である。Ｍはそれぞれ独立に、水素原子、アルカリ金属、アンモニウム、又は有機アンモニウムである。ｍ及びｎは、それぞれ独立に、１又は２である。）
【化１１】
2018192786.tif 000011
（一般式（５）中、Ｒ８は、炭素数１以上４以下のアルキル基；カルボン酸基で置換された炭素数１以上４以下のアルキル基；フェニル基；スルホン酸基で置換されたフェニル基；又はカルボン酸基であり、Ｒ９は、シアノ基；カルバモイル基；又はカルボン酸基であり、Ｒ１０及びＲ１１は、それぞれ独立に、水素原子；炭素数１以上４以下のアルキル基；ハロゲン原子；炭素数１以上４以下のアルコキシ基；又はスルホン酸基であり、Ｒ１２及びＲ１４は、それぞれ独立に、炭素数１以上４以下のアルキルチオ基；又はヒドロキシ基、スルホン酸基及びカルボン酸基からなる群より選択される少なくとも１種の基で置換された炭素数１以上４以下のアルキルチオ基であり、Ｒ１３及びＲ１５は、それぞれ独立に、炭素数１以上４以下のアルキルカルボニルアミノ基であり、Ｒ１６及びＲ１７は、それぞれ独立に、水素原子；カルボン酸基；スルホン酸基；アセチルアミノ基；ハロゲン原子；炭素数１以上４以下のアルキル基；炭素数１乃至４のアルコキシ基；又はヒドロキシ基、炭素数１以上４以下のアルコキシ基、スルホン酸基及びカルボン酸基からなる群より選択される少なくとも１種の基で置換された炭素数１以上４以下のアルコキシ基であり、Ｒ１８、Ｒ１９及びＲ２０は、それぞれ独立に、水素原子；カルボン酸基；スルホン酸基；ヒドロキシ基；アセチルアミノ基；ハロゲン原子；シアノ基；ニトロ基；スルファモイル基；炭素数１以上４以下のアルキル基；炭素数１以上４以下のアルコキシ基；ヒドロキシ基、炭素数１以上４以下のアルコキシ基、スルホン酸基及びカルボン酸基からなる群より選択される少なくとも１種の基で置換された炭素数１以上４以下のアルコキシ基；炭素数１乃至４のアルキルスルホニル基；又はヒドロキシ基、スルホン酸基及びカルボン酸基からなる群より選択される少なくとも１種の基で置換された炭素数１以上４以下のアルキルスルホニル基；スルホン酸基；ハロゲン原子である。）
【化１２】
2018192786.tif 000012
（一般式（６）中、Ｒ２１及びＲ２２は、それぞれ独立に、アニオン性基で置換されていてもよい、炭素数１以上４以下のアルキル基又はアリール基である。Ｒ２３は、シアノ基又はアニオン性基で置換されていてもよいアリール基である。Ｍはそれぞれ独立に、水素原子、アルカリ金属、アンモニウム、又は有機アンモニウムである。）
【手続補正２】
【補正対象書類名】明細書
【補正対象項目名】０００６
【補正方法】変更
【補正の内容】
【０００６】
上記の目的は、以下の本発明によって達成される。すなわち、本発明は、第１インクを記録媒体に付与する第１の記録工程と、第２インクを、前記第１インクを付与した領域の少なくとも一部に重なるように前記記録媒体に付与する第２の記録工程と、を有するインクジェット記録方法であって、前記第１インクが、銀粒子を含有する水性インクであり、前記第２インクが、染料を含有する水性インクであり、前記第１インク及び前記第２インクを前記記録媒体に付与する時間差が、１秒以上７，２００秒以下であり、小角Ｘ線散乱法により測定される、前記染料の分子間距離ｄ値が、５．９ｎｍ以上であるとともに、ピーク面積が、Ｃ．Ｉ．アシッドレッド２４９のピーク面積に対する比率で、１．１倍以上であることを特徴とするインクジェット記録方法に関する。